(57)【要約】【課題】  撮影の連続性を欠くことなく美肌処理の効果を容易に確認することができるデジタルカメラを提供すること。【解決手段】  被写体像を撮像して画像を生成する撮像部と、撮像部により生成した画像に、被写体の顔認識処理と、色調補正と、コントラスト補正と、明るさ補正と、被写体の顔における特徴部分の調整との少なくとも１つを含む美肌処理を施す画像処理部と、撮影確認用のプレビュー画像を表示する表示部とを備え、表示部は、美肌処理が施された画像に基づくプレビュー画像を表示する際には、所定の時間継続してプレビュー画像の表示を行うか、または、美肌処理が施されていない画像に基づくプレビュー画像を表示する際よりもプレビュー画像の表示時間を延長する。【選択図】    図１
2010199968.tif 000002
【特許請求の範囲】
【請求項１】
被写体像を撮像して画像を生成する撮像部と、
前記撮像部により生成した前記画像に、被写体の顔認識処理と、色調補正と、コントラスト補正と、明るさ補正と、前記被写体の顔における特徴部分の調整との少なくとも１つを含む美肌処理を施す画像処理部と、
撮影確認用のプレビュー画像を表示する表示部とを備え、
前記表示部は、前記美肌処理が施された画像に基づくプレビュー画像を表示する際には、所定の時間継続して前記プレビュー画像の表示を行うか、または、前記美肌処理が施されていない画像に基づくプレビュー画像を表示する際よりも前記プレビュー画像の表示時間を延長する
ことを特徴とするデジタルカメラ。
【請求項２】
請求項１に記載のデジタルカメラにおいて、
前記表示部は、前記美肌処理が施された画像に基づくプレビュー画像を表示する際には、前記プレビュー画像に含まれる主要被写体を中心としたトリミングを行い、トリミング後の前記プレビュー画像を表示する
ことを特徴とするデジタルカメラ。
【請求項３】
請求項１または請求項２に記載のデジタルカメラにおいて、
前記美肌処理が施された画像を解析し、解析結果に応じて、前記被写体に対する撮影時のアドバイスを、視覚情報と音声情報との少なくとも一方を用いて行う報知部を備える
ことを特徴とするデジタルカメラ。
【請求項４】
請求項３に記載のデジタルカメラにおいて、
前記撮像部は、所定の時間間隔で繰り返し撮像を行ってスルー画像を生成し、
前記画像処理部は、前記スルー画像の顔認識処理を行い、
前記報知部は、前記画像処理部により人物の顔が認識されると、前記アドバイスを行う
ことを特徴とするデジタルカメラ。
【発明の詳細な説明】
【技術分野】
【０００１】
本発明は、デジタルカメラに関する。
【背景技術】
【０００２】
従来より、画像処理により、デジタル画像に対して様々な画像処理を行う技術が考えられている。例えば、下記の非特許文献１のデジタルカメラは、人物を被写体とする際に、顔の部分を明るく美しく撮影するメイクアップ機能を有している。
【発明の概要】
【発明が解決しようとする課題】
【０００３】
一般に、デジタルカメラにおいては、撮影直後に確認用のプレビュー画像が表示される。上述した非特許文献１のデジタルカメラにおいても、メイクアップ機能を適用した撮影直後にプレビュー画像が表示される。しかし、メイクアップ機能が施されている画像の特徴上、確認に要する時間が長くなる傾向がある。これに対し、再生指示を行って再びプレビュー画像を表示させることにより対応することはできるが、操作が煩わしい。そこで、プレビュー画像の表示時間を長くすることが考えられるが、撮影の連続性を欠くおそれがある。
【０００４】
本発明は、上記問題に鑑みてなされたものであり、撮影の連続性を欠くことなく美肌処理の効果を容易に確認することができるデジタルカメラを提供することを目的とする。
【課題を解決するための手段】
【０００５】
本発明のデジタルカメラは、被写体像を撮像して画像を生成する撮像部と、前記撮像部により生成した前記画像に、被写体の顔認識処理と、色調補正と、コントラスト補正と、明るさ補正と、前記被写体の顔における特徴部分の調整との少なくとも１つを含む美肌処理を施す画像処理部と、撮影確認用のプレビュー画像を表示する表示部とを備え、前記表示部は、前記美肌処理が施された画像に基づくプレビュー画像を表示する際には、所定の時間継続して前記プレビュー画像の表示を行うか、または、前記美肌処理が施されていない画像に基づくプレビュー画像を表示する際よりも前記プレビュー画像の表示時間を延長する。
なお、前記表示部は、前記美肌処理が施された画像に基づくプレビュー画像を表示する際には、前記プレビュー画像に含まれる主要被写体を中心としたトリミングを行い、トリミング後の前記プレビュー画像を表示しても良い。
【０００６】
また、前記美肌処理が施された画像を解析し、解析結果に応じて、前記被写体に対する撮影時のアドバイスを、視覚情報と音声情報との少なくとも一方を用いて行う報知部を備えても良い。
【０００７】
また、前記撮像部は、所定の時間間隔で繰り返し撮像を行ってスルー画像を生成し、前記画像処理部は、前記スルー画像の顔認識処理を行い、前記報知部は、前記画像処理部により人物の顔が認識されると、前記アドバイスを行っても良い。
【発明の効果】
【０００８】
本発明によれば、撮影の連続性を欠くことなく美肌処理の効果を容易に確認することができる。
【図面の簡単な説明】
【０００９】
【図１】本実施形態のデジタルカメラの機能ブロック図である。
【図２】撮像指示が行われた際の制御部７の動作を示すフローチャートである。
【図３】美肌処理モードが設定された状態で撮像が行われた後に、撮影確認用のプレビュー画像を表示する際の制御部７の動作を示すフローチャートである。
【図４】美肌処理モードが設定された状態で撮像が行われた後に、撮影確認用のプレビュー画像を表示する際の制御部７の動作を示す別のフローチャートである。
【図５】撮影時にアドバイス機能を実行する場合の制御部７の動作を示すフローチャートである。
【発明を実施するための形態】
【００１０】
以下、図面を用いて本発明の第１実施形態について説明する。図１は、本発明の第１実施形態におけるデジタルカメラ１の構成を示すブロック図である。図１に示すように、デジタルカメラ１は、撮像レンズ２、撮像素子３、Ａ／Ｄ変換部４、バッファメモリ５、画像処理部６、制御部７、表示部８、操作部９、メモリ１０、記録Ｉ／Ｆ部１１、記録媒体１２、接続部１３、通信部１４、バス１５を備える。
【００１１】
撮像レンズ２は、撮像素子３の撮像面に被写体像を結像する。なお、撮像レンズ２は、ズームレンズやフォーカスレンズ等の複数のレンズからなる撮像光学系であっても良い。撮像素子３は、撮像レンズ２を通過した被写体光を光電変換し、Ｒ、Ｇ、Ｂの各色に対応するアナログ画像信号を出力する。撮像素子３は、非撮像時、所定間隔毎に間引き読み出しを行い、スルー画像を取得する。その後、撮像素子３は、後述するレリーズ釦１８が全押しされると本画像を取得する。
【００１２】
撮像素子３から出力される画像信号は、Ａ／Ｄ変換部４に入力される。Ａ／Ｄ変換部４は、撮像素子３から出力されるアナログの画像信号をＡ／Ｄ変換し、デジタルの画像信号に変更する。なお、このデジタルの画像信号は、１コマにまとめられ、画像データとしてバッファメモリ５に記録される。バッファメモリ５は、画像処理部６による画像処理の前工程や後工程で画像データを一時的に記録する。
【００１３】
画像処理部６は、バッファメモリ５に記録された画像データに対して画像処理を施す。なお、この画像処理としては、周知のホワイトバランス調整、色補間、階調変換処理、輪郭強調処理等が挙げられる。また、画像処理部６は、記録媒体１２に画像ファイルを記録する前にＪＰＥＧ（Joint Photographic Experts Group）形式等で圧縮する処理や、圧縮された上記のデータを伸長復元する処理をも実行する。
【００１４】
また、画像処理部６は、美肌処理を行う。この美肌処理は、本画像に対して施される画像処理であり、以下に示す処理が挙げられる。
【００１５】
画像処理部６は、例えば、画像の露出をオーバー側に補正する露出補正を行う。これにより、被写体の肌が白く表現された好ましい画像を得ることができる。
【００１６】
また、画像処理部６は、ソフトフォーカス処理を行う。これにより、被写体が女性である場合、女性らしさが強調されるとともに、柔らかみのある好ましい画像を得ることができる。また、被写体のしわや肌荒れ等が目立ちにくい好ましい画像を得ることができる。
【００１７】
また、画像処理部６は、彩度のパラメータや明度のパラメータを補正し、肌を白く表現したり、肌色のくすみ等を軽減しても良い。
【００１８】
また、画像処理部６は、画像に含まれる人物を痩身に見せる補正を行う。例えば、画像処理部６は、画像の縦横比を若干縦長に変更した後、人物の部分を切り出し、画像の大きさを調整する。或いは画像処理部６は、特開２００４−２６４８９３号公報のように、顔の輪郭を補正して頬を細く見せるようにしても良い。
【００１９】
また、画像処理部６は、顔における特徴部分（眉、目、口等）の調整を行う。例えば、画像処理部６は目の部分を大きくする補正や鼻の幅を狭くする補正などを行う。また、画像処理部６は、特徴部分の色を補正する。例えば、画像処理部６は上瞼の色に青味を増す色補正や、唇の色に赤味を増す色補正を行う。これにより、アイシャドーや口紅のようなポイントメイクの効果が得られるため、被写体となる女性の見栄えを良くすることができる。
【００２０】
制御部７は、所定のシーケンスプログラムにしたがって、デジタルカメラ１の統括的な制御を行うとともに、撮像時に必要となる各種演算（ＡＦ、ＡＥ等）を実行する。また、制御部７は、顔検出部１６の機能を有している。顔検出部１６は、スルー画像、本画像、記録媒体１２に記録された画像から特徴点を抽出して顔領域、顔領域の大きさ等を検出する。例えば、顔検出部１６は、特開２００１−１６５７３号公報等に記載された特徴点抽出処理によって顔領域を抽出する。上記の特徴点としては、例えば、眉、目、鼻、唇の各端点、顔の輪郭点、頭頂点や顎の下端点等が挙げられる。そして、顔検出部１６は、顔領域の位置情報を特定する。例えば、顔検出部１６は、画像の横方向をＸ軸、縦方向をＹ軸とし、顔領域に含まれる画素のＸ座標及びＹ座標を算出する。
【００２１】
表示部８は、制御部７の制御により各種の画像を表示する。表示部８に表示される各種の画像は、スルー画像、本画像、記録媒体１２に記録された画像、メニュー画像等を含む。また、表示部８は、タッチパネル１７を備える。タッチパネル１７は、パネル上で指又はスタイラス等がタッチされた位置、ドラッグされた方向、ドラッグされた回数を検出する。タッチパネル１７の状態は制御部７により検知される。なお、タッチパネル１７は、表示部８の表面全体に積層して配置するため、表示部８と同等の大きさを有する透明なパネルで構成されている。また、本実施形態の例では、タッチパネル１７は、静電気による電気信号を感知する静電容量式のパネルで構成されている。なお、静電容量式に限らず、圧力による電圧の変化を検知する抵抗膜式のパネルなどを用いても良い。
【００２２】
操作部９は、レリーズ釦１８、十字キー１９等を有する。レリーズ釦１８は、撮像時にユーザにより操作される。十字キー１９は、上記のメニュー画像等で操作される。なお、レリーズ釦１８及び十字キー１９の状態は制御部７により検知され、検知された釦の状態に基づいたシーケンスが実行される。記録Ｉ／Ｆ部１１は、記録媒体１２を接続するためのコネクタを備えている。この記録Ｉ／Ｆ部１１と記録媒体１２とが接続されることにより、記録媒体１２に対してデータの書き込み／読み出しを実行する。
【００２３】
接続部１３は、入出力端子などを備え、デジタルカメラ１の外部の機器と相互に接続し、画像データなど入出力する。通信部１４は、無線または有線で、デジタルカメラ１の外部の機器と通信を行う。バス１５は、バッファメモリ５、画像処理部６、制御部７、表示部８、メモリ１０、記録Ｉ／Ｆ部１１を相互に接続することにより、データや信号の出入力を実行する。
【００２４】
以上説明した構成のデジタルカメラ１は、撮像により生成した画像に、上述した美肌処理を施す美肌処理モードを有する。美肌処理モードは、ポートレートモードや風景モードなどの既存のシーンモードの一つとして備えられても良いし、既存のシーンモードと独立に備えられても良い。また、美肌処理モードは、操作部９やタッチパネル１７を介したユーザの指定により設定可能としても良いし、制御部７により自動で設定可能としても良い。ユーザの指定に際しては、操作部９に専用のボタンなどを設けても良いし、表示部８にメニュー画面などを表示しても良い。
【００２５】
上述した美肌処理モードが設定され、レリーズ釦１８を介したユーザ操作により撮像指示が行われた際の制御部７の動作について、図２に示すフローチャートを参照して説明する。
ステップＳ１において、制御部７は、公知技術と同様に、被写体像を撮像する際の撮影条件を決定する。なお、制御部７は、美肌処理モードが設定されている際に好ましい撮影条件を決定しても良い。例えば、露出や撮影感度などを、美肌処理モードに適した条件としても良い。
ステップＳ２において、制御部７は、撮像レンズ２、撮像素子３、Ａ／Ｄ変換部４等を制御し、被写体像を撮像して画像を生成する。
ステップＳ３において、制御部７は、顔検出部１６により、ステップＳ２で生成した画像に対して、顔検出及び顔認識を行う。さらに、制御部７は、予め登録された特定人物の顔画像をもとに、顔認識処理を行っても良い。例えば、上述した顔検出により検出された顔の特徴点に基づいて、ステップＳ２で生成した画像に含まれる顔の特徴点の位置、各顔パーツの大きさ、各特徴点の相対距離などを演算する。そして、演算結果と、予め登録された特定人物の顔画像の画像データとを比較して、相似度を求める。そして、画像処理部６は、求めた相似度が所定の閾値を上回る場合に、予め登録された特定人物に合致したと判定する。
【００２６】
なお、上述した顔検出及び顔認識を、撮像指示が行われる前の、スルー画像（構図確認用画像）の撮像時に行っても良い。さらに、上述した顔検出及び顔認識の結果に基づいて、表情認識を行い、認識結果に基づいて、撮像タイミングを制御する構成としても良い。
【００２７】
例えば、顔検出部１６は、上述した顔検出及び顔認識の結果に基づいて主要被写体の顔の表情を認識する。そして、制御部７は、認識した表情が、例えば、目つぶりしていない状態や笑顔の状態などの所定の状態であるタイミングで撮像を行うことにより、撮影失敗の可能性を低減し、好ましい撮像を実現することができる。なお、表情認識は、例えば、顔検出部１６は、特開２００４−２７２９３３号公報や特開２００１−５１３３８号公報等に記載され技術を用いることができる。
ステップＳ４において、制御部７は、画像処理部６を制御して、ステップＳ３で行った顔検出及び顔認識の結果に基づいて、ステップＳ２で生成した画像に対して、美肌処理を行う。なお、制御部７は、ステップＳ２で生成した画像のＥｘｉｆ情報（付帯情報）に、美肌処理の内容を示す情報を記録しても良い。このような情報を記録することにより、ユーザは、どのような美肌処理が施されたのかを、画像の再生時に確認することができる。なお、美肌処理の内容を示す情報を、付帯情報として記録する代わりに、画像と対応付けた別のファイルとして記録しても良い。
ステップＳ５において、制御部７は、ステップＳ４で美肌処理を施した画像の解析を行う。制御部７は、顔検出部１６による顔検出や顔認識の結果に基づき、例えば、特徴点である目の状態（目つぶりの状態であるか否）の解析、特徴点である口元の状態（口角が適度に上がっているか否か）の解析、表情（笑顔の状態であるか否か）の解析などを行う。そして、制御部７は、解析の結果を制御部７内の不図示のメモリに記録する。なお、この解析結果は、後述するアドバイス機能の実行時に利用されるものである。そのため、後述するアドバイス機能を実行しない場合には、このステップをスキップしてステップＳ６に進む構成としても良い。
ステップＳ６において、制御部７は、ステップＳ５で美肌処理を施した画像を記録Ｉ／Ｆ部１１を介して記録媒体１２に記録する。このとき、制御部７は、ステップＳ５において行った解析の結果を、画像の付帯情報として記録するか、または、画像に対応付けた別ファイルとして記録しても良い。
ステップＳ７において、制御部７は、撮影確認用のプレビュー画像を生成して表示部８に表示し、一連の処理を終了する。プレビュー画像とは、撮影直後に表示部８に表示される撮影確認用の画像である。プレビュー画像の生成は公知技術と同様に行われる。
一般に、美肌処理のような処理を適用した際には、処理後の画像の特徴上、確認に要する時間が長くなる傾向がある。そこで、美肌処理モードが設定された状態で撮像が行われた後にプレビュー画像を表示する際に、好適な表示を行うことが考えられる。
上述した美肌処理モードが設定された状態で撮像が行われた後に、撮影確認用のプレビュー画像を表示する（図２ステップＳ７）際の制御部７の動作について、図３に示すフローチャートを参照して説明する。
ステップＳ１１において、制御部７は、プレビュー画像を生成する。
【００２８】
ステップＳ１２において、制御部７は、画像処理部６を制御して、ステップＳ１１で生成したプレビュー画像に対するトリミングを実行する。画像処理部６は、図２のステップＳ３における顔検出の結果に基づき、プレビュー画像から、顔部分の画像を切り出すトリミング処理を行う。なお、トリミングの条件（処理後の画像のサイズ、トリミング範囲等）は、制御部７により自動で決定する構成としても良いし、操作部９やタッチパネル１７を介したユーザの指定に基づいて決定する構成としても良い。例えば、制御部７は、図２のステップＳ３で行った顔検出の結果に基づいてトリミング範囲を自動で決定しても良いし、焦点状態を示すいわゆるフォーカスポイントを中心にトリミング範囲を自動で決定しても良い。なお、トリミング後の画像が小さすぎると、本来の目的である美肌処理の確認を行うのに好ましくない。そこで、処理後の画像のサイズについては、予め限界値を設定しておくのが好ましい。また、トリミング後のプレビュー画像を、表示に好ましいサイズにリサイズする構成としても良い。さらに、このステップをスキップしてステップＳ１３に進む構成としても良い。
【００２９】
また、ステップＳ１１で生成したプレビュー画像において、複数の顔が検出された場合には、同様の処理を順次処理を行う構成としても良いし、操作部９やタッチパネル１７を介したユーザの指定に基づいて任意の顔を指定させる構成としても良い。
【００３０】
ステップＳ１３において、制御部７は、表示部８を制御し、ステップＳ１２におけるトリミング後のプレビュー画像を表示部８に表示する。
【００３１】
ステップＳ１４において、制御部７は、プレビュー画像の表示終了指示が行われたか否かを判定する。制御部７は、表示終了指示が行われたと判定するとステップＳ１５に進む。一方、表示終了指示が行われていないと判定すると、制御部７は、表示終了指示が行われるまで待機する。プレビュー画像の表示終了指示は、操作部９やタッチパネル１７を介したユーザの操作に基づいて行われる。ユーザは、例えば、レリーズ釦１８の半押し操作や、タッチパネル１７の所定領域をタッチする操作により、プレビュー画像の表示終了指示を行う。
【００３２】
ステップＳ１５において、制御部７は、表示部８を制御し、プレビュー画像の表示を終了し、一連の処理を終了する。
図３のフローチャートでは、プレビュー画像の表示を、ユーザによる表示終了指示が行われるまで継続する例を示した。しかし、所定の時間だけ継続してプレビュー画像を表示する構成としても良い。
撮影確認用のプレビュー画像を表示する（図２ステップＳ７）際の制御部７の動作の別例について、図４に示すフローチャートを参照して説明する。
【００３３】
ステップＳ２１からステップＳ２３において、制御部７は、図３のフローチャートのステップＳ１１からステップＳ１３と同様の処理を行う。
ステップＳ２４において、制御部７は、所定時間Ｔｂだけプレビュー画像の表示を行ったか否かを判定する。制御部７は、所定時間Ｔｂだけプレビュー画像の表示を行ったと判定するとステップＳ２５に進む。一方、所定時間Ｔｂだけプレビュー画像の表示を行っていないと判定すると、制御部７は、所定時間Ｔｂだけプレビュー画像の表示を行うまで待機する。
【００３４】
所定時間Ｔｂとは、美肌処理モードが設定されていない状態で撮像が行われた後に、撮影確認用のプレビュー画像を表示する際の表示時間Ｔａよりも長い表示時間である。例えば、Ｔａ＝２秒、Ｔｂ＝５秒などである。この所定時間Ｔｂは、予め定められた時間であっても良いし、制御部７により自動で決定する時間であっても良いし、操作部９やタッチパネル１７を介したユーザの指定に基づいて決定する時間であっても良い。制御部７は、例えば、図２のステップＳ４で説明した美肌処理の内容に基づいて、所定時間Ｔｂを決定しても良い。上述した美肌処理が、その処理程度が異なる複数レベルのいずれかで行われる場合には、処理程度が高いほど所定時間Ｔｂを長くし、処理程度が低いほど所定時間Ｔｂを短くしても良い。
【００３５】
ステップＳ２５において、制御部７は、表示部８を制御し、プレビュー画像の表示を終了し、一連の処理を終了する。
【００３６】
次に、上述した美肌処理を施した画像の解析（図２ステップＳ５）の結果に基づいて、ユーザに対して撮影時のアドバイスを行うアドバイス機能について説明する。アドバイス機能は、撮影時（スルー画像を撮像中、かつ、本画像の撮像待機中）に視覚情報や音声情報を用いてユーザに対するアドバイスを行うことにより、より好ましい画像の撮影をサポートする機能である。アドバイス機能は、常時実行されても良いし、制御部７により自動で実行されても良いし、操作部９やタッチパネル１７を介したユーザの指定に基づいて実行されても良い。
撮影時にアドバイス機能を実行する場合の制御部７の動作について、図５に示すフローチャートを参照して説明する。
【００３７】
ステップＳ３１において、制御部７は、撮像レンズ２、撮像素子３、Ａ／Ｄ変換部４等を制御し、被写体像を撮像してスルー画像を生成する。
【００３８】
ステップＳ３２において、制御部７は、図２のフローチャートのステップＳ３と同様に、顔検出及び顔認識を行う。ただし、スルー画像の撮影中には、処理の高速化が求められる。そこで、ステップＳ３２において、制御部７は、図２のフローチャートのステップＳ３よりも簡略化した顔検出及び顔認識を行っても良い。
【００３９】
ステップＳ３３において、制御部７は、ステップＳ３２の結果に基づき、ステップＳ３１で生成したスルー画像に人物の顔が含まれるか否かを判定する。制御部７は、人物の顔が含まれると判定すると後述するステップＳ３５に進む。一方、人物の顔が含まれないと判定すると、制御部７はステップＳ３４に進む。
【００４０】
ステップＳ３４において、制御部７は、アドバイスを希望するユーザ指示が行われたか否かを判定する。制御部７は、アドバイスを希望するユーザ指示が行われたと判定するとステップＳ３５に進む。一方、アドバイスを希望するユーザ指示が行われていないと判定すると、制御部７はステップＳ３１に戻る。アドバイスを希望するユーザ指示は、操作部９やタッチパネル１７を介したユーザの操作に基づいて行われる。ユーザは、例えば、操作部９の特定の釦の操作や、タッチパネル１７の所定領域をタッチする操作により、アドバイスを希望するユーザ指示を行う。
【００４１】
ステップＳ３５において、制御部７は、視覚情報と音声情報との少なくとも一方を用いて、アドバイスを行う。視覚情報とは、表示部８に表示される文字情報やイラストなどであり、音声情報とは、不図示のスピーカから出力されるアナウンスやブザー音などである。
制御部７は、図２ステップＳ５で説明した美肌処理を施した画像の解析結果に基づいて、より好ましい画像の撮影をサポートするためのアドバイスを行う。制御部７は、前回解析した目の状態に応じて、「目を大きく開けてください」等のアドバイスを行ったり、前回解析した口元の状態に応じて、「口角を上げてください」等のアドバイスを行ったりする。このようなアドバイスの内容は、想定される解析結果毎に予め定められている。
さらに、制御部７は、上述した解析結果に基づかない一般的なアドバイスを行っても良い。例えば、制御部７は、頬の弛みの軽減を目的として「あごを引いてください」等のアドバイスを行ったり、体を細く見せることを目的として「斜めに立ってください」等のアドバイスを行ったりしても良い。
【００４２】
ステップＳ３６において、制御部７は、レリーズ釦１８の全押しにより、本画像の撮影開始が指示されたか否かを判定する。制御部７は、撮影開始が指示されたと判定すると、一連の処理を終了し、図２のフローチャートで説明した処理を行う。一方、撮影開始が指示されていないと判定すると、制御部７はステップＳ３１に戻る。
【００４３】
なお、図５のフローチャートでは、顔が検出された場合（ステップＳ３３ＹＥＳ）およびアドバイスを希望するユーザ指示がある場合（ステップＳ３４ＹＥＳ）に、アドバイスを行う（ステップＳ３５）例を示したが、本発明はこの例に限定されない。例えば、美肌処理モードが設定された状態で撮像が行われる際には常にアドバイスを行っても良いし、上述した顔認識により特定人物を認識した場合にアドバイスを行っても良いし、撮影者が自分自身を撮影するいわゆる「自分撮り」が実行されているか否かを監視し、「自分撮り」が実行されている場合にアドバイスを行っても良い。
また、アドバイスの内容も、上記の例に限定されない。例えば、上述した美肌処理が、その処理程度が異なる複数レベルのいずれかで行われる場合には、適切なレベルをアドバイスしても良い。また、図５のフローチャートでは、図２ステップＳ５で説明した美肌処理を施した画像の解析結果に基づいてアドバイスを行う例を示したが、ステップＳ３１で生成したスルー画像に対して、図２ステップＳ５で説明した画像の解析を行い、解析結果に基づいてアドバイスを行っても良い。
以上説明したように、本実施形態によれば、被写体像を撮像して画像を生成する撮像部と、撮像部により生成した画像に、被写体の顔認識処理と、色調補正と、コントラスト補正と、明るさ補正と、被写体の顔における特徴部分の調整との少なくとも１つを含む美肌処理を施す画像処理部と、撮影確認用のプレビュー画像を表示する表示部とを備え、表示部は、美肌処理が施された画像に基づくプレビュー画像を表示する際には、所定の時間継続してプレビュー画像の表示を行うか、または、美肌処理が施されていない画像に基づくプレビュー画像を表示する際よりもプレビュー画像の表示時間を延長する。したがって、確認に要する時間が長くなる場合にのみ、十分なプレビュー画像の表示を行うことができるので、撮影の連続性を欠くことなく美肌処理の効果を容易に確認することができる。
【００４４】
また、本実施形態によれば、美肌処理が施された画像に基づくプレビュー画像を表示する際には、プレビュー画像に含まれる主要被写体を中心としたトリミングを行い、トリミング後のプレビュー画像を表示する。したがって、ユーザは、美肌処理が施された画像の確認を効率よく行うことができる。
【００４５】
また、本実施形態によれば、美肌処理が施された画像を解析し、解析結果に応じて、被写体に対する撮影時のアドバイスを、視覚情報と音声情報との少なくとも一方を用いて行う。したがって、より好ましい撮影をサポートし、表情豊かな画像を得るための撮影を可能とすることができる。
【００４６】
また、本実施形態によれば、撮像部は、所定の時間間隔で繰り返し撮像を行ってスルー画像を生成し、画像処理部は、スルー画像の顔認識処理を行い、画像処理部により人物の顔が認識されると、アドバイスを行う。したがって、好適なタイミングで、ユーザに対するアドバイスを実行することができる。
なお、本実施形態では、デジタルカメラ１を例に挙げて説明したが、本発明はこの例に限定されない。例えば、図１に示した以外の構成を有するデジタルカメラにも本発明を同様に適用することができる。また、動画像を撮像可能なデジタルカメラにも本発明を同様に適用することができる。さらに、携帯電話などに積載されるデジタルカメラにも本発明を同様に適用することができる。
【符号の説明】
【００４７】
１…デジタルカメラ、３…撮像素子、６…画像処理部、７…制御部、８…表示部、１３…接続部、１４…通信部、１６…顔検出部
【先行技術文献】
【非特許文献】
【００４８】
【非特許文献１】カシオ計算機株式会社  ＥＸＩＬＩＭ  ＺＯＯＭ  ＥＸ−Ｚ３００取扱説明書
【図１】
2010199968.tif 000003
【図２】
2010199968.tif 000004
【図３】
2010199968.tif 000005
【図４】
2010199968.tif 000006
【図５】
2010199968.tif 000007